(57)【要約】【課題】携帯端末機におけるアプリケーション実行装置及び方法を提供する。【解決手段】携帯端末機におけるアプリケーション実行装置は、タッチイベントのタイプに対応するアプリケーション実行のためのオブジェクトを現在の画面に表示する表示部と、タッチイベントのタイプに従って対応するアプリケーション実行のためのオブジェクトを表示し、上記オブジェクトを表示する間に上記オブジェクトの外部領域で発生したタッチイベントに応じて上記オブジェクトを隠すように制御する制御部とを有する。【選択図】図２Ａ
2013069282.tif 000002
【特許請求の範囲】
【請求項１】
携帯端末機におけるアプリケーション実行装置であって、
タッチイベントのタイプに対応するアプリケーション実行のためのオブジェクトを現在の画面に表示する表示部と、
タッチイベントのタイプに従って対応するアプリケーション実行のためのオブジェクトを前記現在の画面に表示し、前記オブジェクトを表示する間に前記オブジェクトの外部領域で発生したタッチイベントに応じて前記オブジェクトを隠すように制御する制御部と
を有することを特徴とする携帯端末機におけるアプリケーション実行装置。
【請求項２】
前記制御部は、アプリケーション実行のための前記タッチイベントが発生する場合に、前記発生したタッチイベントのタイプに対応するアプリケーション実行のためのオブジェクトを現在の画面にオーバーラッピング方式で表示することを特徴とする請求項１に記載の携帯端末機におけるアプリケーション実行装置。
【請求項３】
前記制御部は、前記オブジェクトを表示する間にタッチイベントが前記オブジェクトに発生する場合に、前記表示中であるオブジェクトを終了し、前記発生したタッチイベントのタイプに対応するアプリケーション実行のためのオブジェクトを表示することを特徴とする請求項１に記載の携帯端末機におけるアプリケーション実行装置。
【請求項４】
前記制御部は、前記オブジェクトを表示する間にタッチイベントが前記オブジェクトに発生する場合に、アプリケーションのリストを表示し、前記表示中であるオブジェクトを終了した後に、前記アプリケーションのリストから選択された対応するアプリケーション実行のためのオブジェクトを表示することを特徴とする携帯端末機におけるアプリケーション実行装置。
【請求項５】
前記制御部は、前記オブジェクトの外部領域で発生した前記タッチイベントが終了する場合に、前記オブジェクトをさらに表示するように制御することを特徴とする請求項１に記載の携帯端末機におけるアプリケーション実行装置。
【請求項６】
前記制御部は、前記オブジェクトを隠した状態で前記タッチイベントを保持しつつ発生したドラッグイベントを通して現在の画面で対応するアプリケーションが選択される場合に、前記オブジェクトで実行されたデータを前記タッチ及びドラッグイベントを通して選択された対応するアプリケーションのデータとして格納し、前記隠されたオブジェクトを終了するように制御することを特徴とする請求項１に記載の携帯端末機におけるアプリケーション実行装置。
【請求項７】
前記制御部は、前記オブジェクトを隠した状態で対応するアプリケーションをアップデートし、
前記オブジェクトを表示する間に前記オブジェクトで終了が選択される場合に、対応するアプリケーションを実行する前記オブジェクトを終了するように制御することを特徴とする請求項１に記載の携帯端末機におけるアプリケーション実行装置。
【請求項８】
携帯端末機におけるアプリケーション実行方法であって、
タッチイベントが発生する場合に、前記発生したタッチイベントのタイプに従ってアプリケーション実行のためのオブジェクトを表示するステップと、
前記オブジェクトを表示する間にタッチイベントが前記オブジェクトの外部領域で発生する場合に、前記オブジェクトを隠すステップと
を有することを特徴とする携帯端末機におけるアプリケーション実行方法。
【請求項９】
前記タッチイベントが発生する場合に、前記発生したタッチイベントのタイプに対応するアプリケーション実行のためのオブジェクトを現在の画面にオーバーラッピング方式で表示することを特徴とする請求項８に記載の携帯端末機におけるアプリケーション実行方法。
【請求項１０】
前記オブジェクトを表示する間にタッチイベントが前記オブジェクトに発生する場合に、前記表示中であるオブジェクトを終了するステップと、前記発生したタッチイベントのタイプに対応するアプリケーション実行のためのオブジェクトを表示するステップとをさらに有することを特徴とする請求項８に記載の携帯端末機におけるアプリケーション実行方法。
【請求項１１】
前記オブジェクトを表示する間にタッチイベントが前記オブジェクトに発生する場合にアプリケーションのリストを表示するステップと、
前記アプリケーションのリストからアプリケーションが選択される場合に、前記表示中であるオブジェクトを終了した後に、前記選択されたアプリケーション実行のためのオブジェクトを表示するステップとをさらに有することを特徴とする請求項１０に記載の携帯端末機におけるアプリケーション実行方法。
【請求項１２】
前記オブジェクトの外部領域で発生したタッチイベントが終了する場合に、前記オブジェクトをさらに表示するステップをさらに有することを特徴とする請求項８に記載の携帯端末機におけるアプリケーション実行方法。
【請求項１３】
前記オブジェクトを隠した状態で前記タッチイベントを保持しつつ発生したドラッグイベントを通して現在の画面で対応するアプリケーションが選択される場合に、前記オブジェクトで実行されたデータを前記タッチ及びドラッグイベントを通して選択された対応するアプリケーションのデータとして格納するステップと、
前記隠されたオブジェクトを終了するステップとをさらに有することを特徴とする請求項８に記載の携帯端末機におけるアプリケーション実行方法。
【請求項１４】
前記オブジェクトを隠した状態で対応するアプリケーションのアップデートを実行するステップをさらに有することを特徴とする請求項８に記載の携帯端末機におけるアプリケーション実行方法。
【請求項１５】
前記オブジェクトを表示する間に前記オブジェクトで終了が選択される場合に、対応するアプリケーションを実行する前記オブジェクトを終了するステップをさらに有することを特徴とする請求項８に記載の携帯端末機におけるアプリケーション実行方法。
【発明の詳細な説明】
【技術分野】
【０００１】
本発明は、携帯端末機におけるアプリケーション実行装置及び方法に関し、特に、携帯端末機でアプリケーションを迅速に実行することができる携帯端末機におけるアプリケーション実行装置及び方法に関する。
【背景技術】
【０００２】
携帯端末機には、対応するアプリケーションを実行する間に対応するアプリケーションに関する情報をメモするために対応するアプリケーションを終了し、メモアプリケーションを実行した後に対応する内容をメモする。
【０００３】
メモアプリケーションで対応する内容をメモする間に、対応するアプリケーションに関する情報をさらに確認するためにはメモアプリケーションを終了し、対応するアプリケーションをさらに実行しなければならない。
【０００４】
上記の通りに、対応するアプリケーションに関する情報をメモアプリケーションにメモする間にアプリケーション実行及び終了を反復しなければならない不便さがあった。
【先行技術文献】
【特許文献】
【０００５】
【特許文献１】米国特許出願公開第２０１１/０６１０２０号明細書
【特許文献２】米国特許第７４５８０３２号明細書
【発明の概要】
【発明が解決しようとする課題】
【０００６】
したがって、本発明は、上述した従来技術の問題点を解決するために提案されたものであり、その目的は、携帯端末機においてアプリケーションを迅速に実行することができる携帯端末機におけるアプリケーション実行装置及び方法を提供することにある。
【０００７】
本発明の他の目的は、携帯端末機においてアプリケーションを迅速に切り替えることができる携帯端末機におけるアプリケーション実行装置及び方法を提供することにある。
【０００８】
本発明のまた他の目的は、画面ウィンドウで対応するアプリケーションを実行しつつバックグラウンド画面上のコンテンツを容易に見ることができる携帯端末機におけるアプリケーション実行装置及び方法を提供することにある。
【０００９】
本発明のさらにまた他の目的は、対応するアプリケーション実行のための画面ウィンドウで実行されたデータを他のアプリケーションのためのデータとして使用することができる携帯端末機におけるアプリケーション実行装置及び方法を提供することにある。
【課題を解決するための手段】
【００１０】
上記のような目的を達成するために、本発明の実施形態の一態様によれば、携帯端末機におけるアプリケーション実行装置が、第１の画面上に第２のタッチイベントに従って第２のアプリケーションを実行し、上記第１の画面より小さい第２の画面を表示する表示部と、上記第２の画面の外部領域に対するタッチが感知される間に上記第２の画面が画面上で消えて上記第１の画面の全領域が表示されるようにし、上記第２の画面の外部領域に対するタッチが解除される場合に上記第２の画面が上記第１の画面上にさらに表示されるように制御する制御部とを有することを特徴とする。
【００１１】
本発明の実施形態の他の態様によれば、携帯端末機におけるアプリケーション実行装置が、第１のタッチイベントに従って第１のアプリケーションを実行する第１の画面上に第２のタッチイベントに従って第２のアプリケーションを実行する第２の画面を半透明窓で表示することにより上記第１の画面が上記第２の画面を通して表示される表示部と、上記第２の画面上で入力動作が発生する時に、上記第２の画面下にある上記第１の画面には上記入力動作に従う動作が発生せず、上記第２の画面上にのみ上記入力動作に従う動作を実行するように制御する制御部とを有することを特徴とする。
【００１２】
本発明の実施形態のさらに他の態様によれば、携帯端末機におけるアプリケーション実行装置が、タッチイベントのタイプに従う対応するアプリケーション実行のための画面ウィンドウを現在の画面に表示する表示部と、タッチイベントのタイプに従って対応するアプリケーション実行のための画面ウィンドウを表示し、上記画面ウィンドウを表示する間に上記画面ウィンドウの外部領域に発生したタッチイベントに従って上記画面ウィンドウを隠すように制御する制御部とを有することを特徴とする。
【００１３】
本発明の実施形態のさらなる他の態様によれば、携帯端末機におけるアプリケーション実行方法は、第１の画面上に第２のタッチイベントに従って第２のアプリケーションを実行し、上記第１の画面より小さい第２の画面を表示するステップと、上記第２の画面の外部領域に対するタッチが感知される間に、上記第２の画面が画面上で消えて上記第１の画面の全領域が表示されるステップと、上記第２の画面の外部領域に対するタッチが解除される場合に、上記第２の画面が上記第１の画面上にさらに表示されるステップとを有することを特徴とする。
【００１４】
本発明の実施形態のさらに他の１つの態様によれば、携帯端末機におけるアプリケーション実行方法は、第１のタッチイベントに従って第１のアプリケーションを実行する第１の画面上に第２のタッチイベントに従って第２のアプリケーションを実行する第２の画面を半透明窓で表示することにより、上記第１の画面が上記第２の画面を通して表示されるステップと、上記第２の画面上で入力動作が発生する時に、上記第２の画面下にある上記第１の画面には上記入力動作に従う動作が発生せず、上記第２の画面上にのみ上記入力動作に従う動作を実行するステップとを有することを特徴とする。
【００１５】
本発明の実施形態のさらなる他の態様によれば、携帯端末機におけるアプリケーション実行方法は、タッチイベントが発生する場合に、上記発生したタッチイベントのタイプに従って対応するアプリケーション実行のためのオブジェクトを表示するステップと、上記オブジェクトを表示する間に上記オブジェクトの外部領域にタッチイベントが発生する場合に上記オブジェクトを隠すステップとを有することを特徴とする。
【発明の効果】
【００１６】
本発明は、携帯端末機におけるアプリケーション実行装置及び方法を提供することにより、ユーザーが希望する対応するアプリケーションを迅速に実行し転換することができ、画面ウィンドウで対応するアプリケーションを実行しつつバックグラウンド画面上のコンテンツを容易に見ることができる効果がある。また、対応するアプリケーション実行のための画面ウィンドウで実行されたデータを他のアプリケーションのためのデータとして使用することができるという効果がある。
【００１７】
本発明の実施形態の上述した及び他の様相、特徴、及び利点は、以下の添付図面が併用された後述の詳細な説明から、より一層明らかになるだろう。
【図面の簡単な説明】
【００１８】
【図１】本発明の実施形態による携帯端末機の構成を示す図である。
【図２Ａ】本発明の実施形態による携帯端末機におけるアプリケーションを実行する過程を示すフローチャートである。
【図２Ｂ】本発明の実施形態による携帯端末機におけるアプリケーションを実行する過程を示すフローチャートである。
【図３Ａ】本発明の実施形態による携帯端末機におけるインターネットアクセスの間にメモアプリケーションを実行する過程を説明するための図である。
【図３Ｂ】本発明の実施形態による携帯端末機におけるインターネットアクセスの間にメモアプリケーションを実行する過程を説明するための図である。
【図３Ｃ】本発明の実施形態による携帯端末機におけるインターネットアクセスの間にメモアプリケーションを実行する過程を説明するための図である。
【図４Ａ】本発明の実施形態による携帯端末機におけるメッセンジャーアプリケーションの使用の間にメモアプリケーションを実行する過程を説明するための図である。
【図４Ｂ】本発明の実施形態による携帯端末機におけるメッセンジャーアプリケーションの使用の間にメモアプリケーションを実行する過程を説明するための図である。
【図４Ｃ】本発明の実施形態による携帯端末機におけるメッセンジャーアプリケーションの使用の間にメモアプリケーションを実行する過程を説明するための図である。
【図５Ａ】本発明の実施形態による携帯端末機における待機モードでメモアプリケーションを実行する過程を説明するための図である。
【図５Ｂ】本発明の実施形態による携帯端末機における待機モードでメモアプリケーションを実行する過程を説明するための図である。
【図５Ｃ】本発明の実施形態による携帯端末機における待機モードでメモアプリケーションを実行する過程を説明するための図である。
【図５Ｄ】本発明の実施形態による携帯端末機における待機モードでメモアプリケーションを実行する過程を説明するための図である。
【図６Ａ】本発明の実施形態による携帯端末機におけるメッセージアプリケーションの使用の間にメモアプリケーションを実行する過程を説明するための図である。
【図６Ｂ】本発明の実施形態による携帯端末機におけるメッセージアプリケーションの使用の間にメモアプリケーションを実行する過程を説明するための図である。
【図７Ａ】本発明の実施形態による携帯端末機における電子メールアプリケーションの使用の間にメモアプリケーションを実行する過程を説明するための図である。
【図７Ｂ】本発明の実施形態による携帯端末機における電子メールアプリケーションの使用の間にメモアプリケーションを実行する過程を説明するための図である。
【発明を実施するための形態】
【００１９】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯一つの実施形態に過ぎない。従って、本発明の範囲及び趣旨を逸脱することなく、ここに説明する実施形態の様々な変更及び修正が可能あるということは、当該技術分野における通常の知識を有する者には明らかである。また、明瞭性と簡潔性の観点から、当業者に良く知られている機能や構成に関する具体的な説明は、省略する。
【００２０】
本発明の実施形態において、対応するアプリケーションを実行のために表示されるオブジェクトを画面ウィンドウを例に挙げて説明する。しかしながら、本発明において、対応するアプリケーションを実行のために表示されるオブジェクトは、画面ウィンドウだけでなく対応するアプリケーションに対する実行を表示するためのすべての表示機能を含むことができる。
【００２１】
図１は、本発明の実施形態による携帯端末機の構成を示す図である。
【００２２】
図１を参照すると、無線周波数（ＲＦ）部１２３は、携帯端末機の無線通信機能を実行する。ＲＦ部１２３は、送信信号の周波数をアップコンバートし、このアップコンバートされた信号を増幅するＲＦ送信器（図示せず）と、受信信号を低雑音増幅し、増幅された信号の周波数をダウンコンバートするＲＦ受信器（図示せず）とを含む。データ処理部１２０は、送信信号の符号化及び変調を行う送信器及びこの受信信号の復調及び復号化を行う受信器とを含む。言い換えれば、データ処理部１２０は、モデム（ＭＯＤＥＭ）及びコーデック（ＣＯＤＥＣ）を含むことができる。コーデックは、パケットデータを処理するデータコーデック及び音声のようなオーディオ信号又は他の同一のオーディオ信号を処理するオーディオコーデックを含む。オーディオ処理部１２５は、データ処理部１２０のオーディオコーデックから出力される受信オーディオ信号をスピーカＳＰＫを用いて再生し、マイクロフォンＭＩＣにより受信される送信オーディオ信号をデータ処理部１２０のオーディオコーデックに転送する。
【００２３】
キー入力部１２７は、数字及び文字情報を入力するためのキー及び各種機能を設定するための機能キーを含む。
【００２４】
メモリ１３０は、プログラムメモリ及びデータメモリを含むことができる。プログラムメモリは、携帯端末機の一般的な動作を制御するためのプログラムを格納することができる。データメモリは、このようなプログラムの実行の間に発生するデータを一時的に格納することができる。メモリ１３０は、タッチイベントのタイプと関連した実行可能なアプリケーションのタイプに関する情報を格納することができる。
【００２５】
本発明の実施形態によると、メモリ１３０は、アプリケーション実行のためにタッチスクリーンに発生したタッチイベントのタイプに従って対応するアプリケーション実行のための別の画面ウィンドウを表示するための制御プログラムを格納することができる。メモリ１３０は、対応するアプリケーション実行のための別の画面ウィンドウを表示する間に画面ウィンドウの外部領域で発生したタッチイベントに応じて画面ウィンドウを隠し、タッチイベントが終了する場合に画面ウィンドウを表示するための制御プログラムを格納することができる。
【００２６】
制御部１１０は、携帯端末機の全般的な動作を制御する機能を実行する。制御部１１０は、アプリケーション実行のためにタッチスクリーン上に発生したタッチイベントのタイプに従って対応するアプリケーション実行のための画面ウィンドウを表示し、この画面ウィンドウを表示する間に画面ウィンドウの外部領域に発生したタッチイベントに応じて画面ウィンドウを隠す。この時に、制御部１１０は、対応するアプリケーション実行のための画面ウィンドウを現在の画面にオーバーラッピングすることにより別のウィンドウを表示することができる。
【００２７】
制御部１１０は、発生したタッチイベントのタイプに従って対応するアプリケーション実行のための画面ウィンドウを表示する間に画面ウィンドウにタッチイベントが発生する場合に、タッチイベントが発生した画面ウィンドウを終了し、発生したタッチイベントのタイプに従って対応するアプリケーション実行のための画面ウィンドウを表示するように制御する。
【００２８】
制御部１１０は、発生したタッチイベントのタイプに従って対応するアプリケーション実行のための画面ウィンドウを表示する間に画面ウィンドウにタッチイベントが発生する場合に、アプリケーションのリストを表示し、タッチイベントが発生した画面ウィンドウを終了した後にアプリケーションのリストで選択された対応するアプリケーション実行のための画面ウィンドウを表示するように制御する。
【００２９】
制御部１１０は、発生したタッチイベントのタイプに従って対応するアプリケーション実行のための画面ウィンドウを表示する間に、画面ウィンドウにタッチイベントが発生すると、タッチイベントが発生した画面ウィンドウを終了し、発生したタッチイベントのタイプに従って対応するアプリケーション実行のための画面ウィンドウを表示するように制御する。
【００３０】
制御部１１０は、発生したタッチイベントのタイプに従って対応するアプリケーション実行のための画面ウィンドウの外部領域に発生したタッチイベントが終了する場合に画面ウィンドウを表示するように制御する。
【００３１】
制御部１１０は、発生したタッチイベントのタイプに従って対応するアプリケーション実行のための画面ウィンドウを隠した状態で、タッチイベントを保持しつつ発生したドラッグイベントを通して現在の画面で対応するアプリケーションが選択される場合に、画面ウィンドウで実行されたデータをタッチ及びドラッグイベントを通して選択された対応するアプリケーションのデータとして格納し、同時に隠された画面ウィンドウを終了するように制御する。
【００３２】
制御部１１０は、発生したタッチイベントのタイプに従って対応するアプリケーション実行のための画面ウィンドウを隠した状態で、対応するアプリケーションに対するアップデートを実行するように制御する。この時に、制御部１１０は、同期化が可能なアプリケーションのみに対してアップデートを実行し、同期化時間が画面ウィンドウを表示した時間から隠された時間までの時間期間より大きいときだけ対応するアプリケーションに対するアップデートを実行するように制御する。
【００３３】
制御部１１０は、発生したタッチイベントのタイプに従って対応するアプリケーション実行のための画面ウィンドウを表示する間に対応するアプリケーションのアップデートを実行することができ、又は画面のウィンドウが終了する時に対応するアプリケーションのアップデートを実行するように制御する。
【００３４】
制御部１１０は、発生したタッチイベントのタイプに従って対応するアプリケーション実行のための画面ウィンドウを半透明ウィンドウで表示することができる。画面ウィンドウが半透明ウィンドウで表示することにより、ユーザーは、バックグラウンド画面の内容を見ながら半透明ウィンドウで表示される画面ウィンドウで対応するアプリケーションを実行することができる。この時に、半透明ウィンドウでアクティブされた画面ウィンドウで発生するユーザーの入力動作はバックグラウンド画面に影響なしに、画面ウィンドウだけで対応する動作を実行する。
【００３５】
制御部１１０は、発生したタッチイベントのタイプに従って対応するアプリケーション実行のための画面ウィンドウを表示する間に画面ウィンドウで終了が選択される場合に、対応するアプリケーションを実行する画面ウィンドウを終了するように制御する。
【００３６】
カメラ１４０は、映像データを撮影し、撮影された光信号を電気信号に変換するカメラセンサーと、カメラセンサーから撮影されるアナログ映像信号をディジタルデータに変換する信号処理部を備える。ここで、カメラセンサーは、電荷結合素子（Charge-Coupled Device：ＣＣＤ）又は相補型金属酸化膜半導体（Complementary Metal-Oxide-Semiconductor：ＣＭＯＳ）センサーであることができ、信号処理部は、ディジタル信号処理部（Digital Signal Processor：ＤＳＰ）で実現することができる。しかしながら、本発明は、これに限定されず、カメラセンサー及び信号処理部は、一体型で実現してもよく、又は分離して実現してもよい。
【００３７】
映像処理部１５０は、カメラ１４０から出力される映像信号を表示部１６０に表示するためのイメージ信号処理（Image Signal Processing：ＩＳＰ）を実行し、ＩＳＰは、ガンマ校正、インターポーレーション、空間的変化、イメージ効果、イメージスケール、自動ホワイトバランス（Automatic White Balance：ＡＷＢ）、自動露出（Automatic Exposure：ＡＥ）、及び自動焦点（Automatic Focus：ＡＦ）のような機能及び他の同一のイメージ処理動作及び機能を実行する。したがって、映像処理部１５０は、カメラ１４０から出力される映像信号をフレーム単位で処理し、フレーム映像データを表示部１６０の特性及びサイズに合せて出力する。また、映像処理部１５０は、映像コーデックを含み、表示部１６０に表示されるフレーム映像データを所定のコーディング方式で圧縮するか又は圧縮されたフレーム映像データを元来のフレーム映像データに復元する機能を実行する。ここで、映像コーデックは、ＪＰＥＧ（Photographic Experts Group）コーデック、ＭＰＥＧ４（Moving Picture Experts Group 4）コーデック、ウェーブレット（Wavelet）コーデック、又は任意の他の同一のビデオコーデックを含むことができる。映像処理部１５０は、オンスクリーンディスプレー（On-Screen Display：ＯＳＤ）機能を含み、制御部１１０の制御の下に表示される画面のサイズに従ってＯＳＤデータを出力することができる。
【００３８】
表示部１６０は、映像処理部１５０から出力される映像信号を表示する画面（図示せず）と、制御部１１０から出力されるユーザーデータとを含む。表示部１６０は、液晶ディスプレー（Liquid Crystal Display：ＬＣＤ）、有機発光ダイオード（ＯＬＥＤ）ディスプレー、又は任意の他の適切なディスプレータイプでありことができる。ＬＣＤの場合に、表示部１６０は、ＬＣＤ制御部、映像データを格納することができるメモリ及びＬＣＤパネルを含むことができる。ここで、表示部１６０の画面をタッチスクリーン（touch screen）方式で実現する場合に、ＬＣＤ又は他の適切なディスプレータイプは、入力部として機能する。この時に、キー入力部１２７のようなキーは、表示部１６０上に表示することができる。
【００３９】
本発明の実施形態に従って、表示部１６０は、アプリケーション実行のために発生したタッチイベントのタイプに従って対応するアプリケーション実行のための画面ウィンドウを現在の画面上にオーバーラッピングすることにより別のウィンドウを表示する。
【００４０】
図２Ａ乃至図２Ｂを参照して携帯端末機でアプリケーションを実行する動作について詳細に説明する。
【００４１】
図２Ａ及び図２Ｂは、本発明の実施形態による携帯端末機におけるアプリケーションを実行する過程を示すフローチャートである。
【００４２】
図１、図２Ａ、及び図２Ｂを参照すると、ステップ２０１において、携帯端末機でアプリケーション実行のためのタッチイベントが発生する場合に、ステップ２０２において、制御部１１０は、発生したタッチイベントのタイプを判定し、この発生したタッチイベントのタイプに従ってアプリケーション実行のための画面ウィンドウＡを表示する。
【００４３】
ステップ２０２において、制御部１１０は、メモリ１３０を用いて発生したタッチイベントのタイプに対応するアプリケーションのタイプを検出した後に、検出されたアプリケーションを実行するための画面ウィンドウＡを表示部１６０の現在の画面上にオーバーラッピングすることにより別のウィンドウを表示するように制御する。
【００４４】
タッチイベントのタイプは、タッチ入力回数及びタッチ入力時間、すなわち、タッチ入力が発生する時間量に従って判定することができる。スタイラスペン（stylus pen）が使用される場合に、タッチイベントのタイプは、スタイラスペンに取り付けられたボタンを入力するか又は押す時に発生するタッチ入力の回数及びタッチ入力時間に従って判定することができる。
【００４５】
ステップ２０２において画面ウィンドウＡを表示する間に、制御部１１０は、ステップ２０３において、アプリケーション実行のためのタッチイベントが画面ウィンドウＡの領域で発生するか否かを判定する。ステップ２０４において、タッチイベントが画面ウィンドウＡで発生する場合に、制御部１１０は、メモリ１３０を用いて発生したタッチイベントのタイプに対応するアプリケーションのタイプを判定した後に、画面ウィンドウＡの表示を終了し、検出されたアプリケーションを実行するための画面ウィンドウＢを現在の画面上にオーバーラッピングすることにより別のウィンドウを表示する。
【００４６】
図２には図示していないが、ステップ２０２において、制御部１１０は、画面ウィンドウＡを表示する間に、画面ウィンドウＡの領域でアプリケーション実行のためのタッチイベントが発生する場合に、アプリケーションのリストを表示することができ、対応するアプリケーションがアプリケーションリストから選択される場合に、制御部１１０は、画面ウィンドウＡを終了し、選択されたアプリケーションを実行するための画面ウィンドウを現在の画面上にオーバーラップすることにより別のウィンドウを表示することができる。
【００４７】
ステップ２０２において画面ウィンドウＡを表示する間に、制御部１１０は、ステップ２０５において、画面ウィンドウＡの外部領域でタッチイベントが発生するか否かを判定する。タッチイベントが画面ウィンドウＡの外部領域で発生する場合に、制御部１１０は、ステップ２０６において画面ウィンドウＡを非活性化してこれを隠す。したがって、画面ウィンドウＡを非活性化して隠すタッチイベントのタイプは、様々なタッチ入力動作であることができる。したがって、画面ウィンドウＡの外部領域でタッチ入力動作が保持される間に、画面ウィンドウＡが隠されることにより、ユーザーは、画面ウィンドウＡのバックグラウンド画面上のコンテンツを見ることができる。
【００４８】
ステップ２０６において画面ウィンドウＡを隠す間に、制御部１１０は、ステップ２０７において、タッチイベントが終了するか否か、すなわちタッチ入力が保持されないか否かを判定する。タッチイベントが終了する、すなわちタッチ入力が保持されない場合に、制御部１１０は、ステップ２０８において、画面ウィンドウＡを活性化してこれを現在の画面上にさらに表示する。
【００４９】
ステップ２０５乃至ステップ２０８において、ユーザーは、タッチイベントに応じて画面ウィンドウＡの表示及び隠しを反復することにより、画面ウィンドウＡのバックグラウンド画面上のコンテンツを見ながら画面ウィンドウＡで対応するアプリケーションを実行することができる。
【００５０】
ステップ２０６において画面ウィンドウＡが隠される間に、ステップ２０７において発生したタッチイベントが保持される場合に、制御部１１０は、ステップ２０９においてドラッグイベントが発生するか否かを判定する。ドラッグイベントが発生する場合に、制御部１１０は、ステップ２１０において、対応するアプリケーションがタッチ及びドラッグイベントにより選択されるか否かを判定する。対応するアプリケーションがタッチ及びドラッグイベントにより選択される場合に、制御部１１０は、ステップ２１１において、画面ウィンドウＡで実行されたデータをタッチ及びドラッグイベントにより選択された対応するアプリケーションのデータとして格納し、画面ウィンドウＡの表示を終了する。
【００５１】
例えば、制御部１１０が画面ウィンドウＡを隠した後にメッセージアプリケーションを実行する現在の画面上でタッチ及びドラッグイベントによりメッセージ又は電子メールアプリケーションにより提供される接触のリストから対応する受信者が選択される場合に、画面ウィンドウＡ上で実行されたメモデータは、対応する受信者のデータとして格納されるか、又は制御部１１０がメッセージ／電子メールモードに自動で切り替えるか又はメッセージ又は電子メールアプリケーションに切り替えた後に、対応する受信者に送信されるメッセージ又は電子メールに添付データとして格納されることができる。例えば、制御部１１０が画面ウィンドウＡを隠した後にカレンダーアプリケーションを実行する現在の画面上でタッチ及びドラッグイベントを通してカレンダーアプリケーションにより提供された日付のリストから対応する日が選択される場合に、画面ウィンドウＡで実行されたメモデータは、選択された日に対応するデータとして格納されることができる。
【００５２】
他の例として、メッセージアプリケーション、電子メールアプリケーション、及びアルバムアプリケーションのようなアプリケーションのタイプを示すアイコンが、制御部１１０が画面ウィンドウＡを隠した後に待機モードにある現在の画面上でタッチ及びドラッグイベントにより選択される場合に、メッセージ又は電子メールモードに切り換えた後に画面ウィンドウＡ上で実行されたメモデータが添付データとして格納されるか、又は、アルバムから選択された映像に対応するデータとして格納されることができる。
【００５３】
ステップ２０６において画面ウィンドウＡを隠す間に、制御部１１０は、ステップ２１２において携帯端末機に設置されたアプリケーションをアップデートする。ステップ２１２において、制御部１１０は、同期化が可能なアプリケーションに対するアップデートを実行し、同期化時間が画面ウィンドウＡが表示された時間から画面ウィンドウＡが隠された時間までの時間期間より長い場合にのみ対応するアプリケーションのアップデートを実行することができる。制御部１１０は、画面ウィンドウＡを表示する間に、対応するアプリケーションに対するアップデートを実行することができ、画面ウィンドウＡが終了した場合にのみ対応するアプリケーションのアップデートを実行することができる。
【００５４】
例えば、携帯端末機が画面ウィンドウが隠された状態のみで対応するアプリケーションに対するアップデートが設定される時に、メモアプリケーション実行のための画面ウィンドウＡが現在実行しているメッセンジャーアプリケーションの現在の画面とオーバーラップするように表示される場合に、制御部１１０は、携帯端末機のアップデートを実行しない。その後に、画面ウィンドウＡが隠される場合に、制御部１１０は、同期化が可能なメッセンジャーアプリケーションをアップデートするために、メッセンジャーアプリケーションに対する同期化時間を画面ウィンドウＡが表示された時間から画面ウィンドウＡが隠された時間までの時間期間と比較する。例えば、メッセンジャーアプリケーションに対する同期化時間が‘５秒’として設定され、画面ウィンドウＡが表示された時間から画面ウィンドウＡが隠された時間までの時間期間が‘３秒’である場合に、すなわち、メッセンジャーアプリケーションに対する同期化時間が画面ウィンドウＡが表示された時間から画面ウィンドウＡが隠された時間までの時間期間より長い場合に、制御部１１０は、メッセンジャーアプリケーションをアップデートする。例えば、制御部１１０は、画面ウィンドウＡが見られる間に作られた対話内容を表示することにより、画面ウィンドウＡが隠される度に発生し得る頻繁なアップデートを防止することができる。
【００５５】
対応するアプリケーションのアップデートが画面ウィンドウＡが隠された状態で発生するように設定される場合に、制御部１１０は、メモアプリケーションを表示するための画面ウィンドウＡを現在の画面上にオーバーラッピング方式で表示する時に、同期化が可能なメッセンジャーアプリケーションのアップデートを実行し、これをバックグラウンド画面上に表示することができる。
【００５６】
対応するアプリケーションのアップデートが画面ウィンドウＡが終了する場合にのみ発生するように設定される場合に、制御部１１０は、画面ウィンドウＡをメッセンジャーアプリケーションを表示する現在の画面上にオーバーラッピング方式で表示する間に画面ウィンドウＡが完全に終了する時に、制御部１１０は、同期化が可能なメッセンジャーアプリケーションのアップデートを実行し、これを表示することができる。
【００５７】
ステップ２０２において、画面ウィンドウＡを表示する間に、制御部１１０は、ステップ２１３において、終了ボタン、キー又は入力が画面ウィンドウＡで選択されるか否かを判定する。終了ボタン、キー又は入力が画面ウィンドウＡで選択される場合に、制御部１１０は、ステップ２１４において、画面ウィンドウＡの表示を終了する。
【００５８】
図２Ａ及び図２Ｂにおいて、タッチイベントに応じて画面ウィンドウの表示及び隠しを実行する動作は、図３Ａ乃至図７Ｂを参照して説明する。
【００５９】
図３Ａ乃至図３Ｃは、本発明の実施形態による携帯端末機でインターネットアクセスの間にメモアプリケーションを実行する過程を説明するための図である。
【００６０】
図３Ａ乃至図３Ｃを参照すると、図３Ａに示すようにインターネットを通して記事、イメージ、ビデオ、又はウェブサイトを見る間に、タッチイベントが画面上に発生する領域に関係なく、メモアプリケーション実行のためのタッチイベントが記事を表示する画面上に発生する場合に、図３Ｂに示すように、メモアプリケーション実行のための画面ウィンドウ１６１を記事を表示する現在の画面上にオーバーラッピングすることにより別のウィンドウを表示することができる。画面ウィンドウ１６１を表示する間に、全画面上でタッチイベント（すなわち、タッチ入力）が画面ウィンドウ１６１の外部領域で発生し保持される場合に、図３Ｃに示すように、画面ウィンドウ１６１を隠し、これにより、ユーザーが記事を表示する現在の画面を見ることができるようにする。図３Ｃに示すように、画面ウィンドウ１６１を隠す間に発生したタッチイベントが終了する場合に、図３Ｂに示すように、現在の画面上に画面ウィンドウ１６１をオーバーラップするように別のウィンドウをさらに表示することができる。
【００６１】
図４Ａ乃至図４Ｃは、本発明の実施形態による携帯端末機でメッセンジャーアプリケーションの使用の間にメモアプリケーションを実行する過程を示す図である。
【００６２】
図４Ａ乃至図４Ｃを参照すると、図４Ａに示すように、メッセンジャーアプリケーションを実行する間に、タッチイベントが画面上に発生する領域に関係なく、メモアプリケーション実行のためのタッチイベントがメッセンジャーアプリケーションを表示する画面上に発生する場合に、例えば、所定の時間内に２回のタッチ入力が継続して発生する場合に、図４Ｂに示すように、メモアプリケーション実行のための画面ウィンドウ１６１をメッセンジャーアプリケーション実行を表示する現在の画面にオーバーラッピングするように別のウィンドウが表示されることができる。
【００６３】
図４Ｂに示すように、画面ウィンドウ１６１を表示する間に、画面ウィンドウ１６１を表示する領域ではない画面の領域でタッチイベントが発生し保持される場合に、図４Ｃに示すように、画面ウィンドウ１６１を隠すことができ、したがって、ユーザーがメッセンジャーアプリケーションを表示する現在の画面を見ることができるようにする。アプリケーションのアップデートが画面ウィンドウ１６１が隠された状態のみで発生するように設定される時に、メッセンジャーアプリケーションに対する同期化時間が画面ウィンドウ１６１が表示される時間から画面ウィンドウが隠される時間までの時間期間より長い場合に、図４Ｃに示すように、画面ウィンドウ１６１が隠された状態でメッセンジャーアプリケーションがアップデートされ、したがって、画面ウィンドウ１６１が表示される間に作られた対話内容を表示することができる。図４Ｃに示す状態で発生したタッチ入力が終了する場合に、図４Ｂに示すように、画面ウィンドウ１６１をさらに表示することができる。
【００６４】
図５Ａ乃至図５Ｄは、本発明の実施形態による携帯端末機における待機モードでメモアプリケーションを実行する過程を説明するための図である。
【００６５】
図５Ａ乃至図５Ｄを参照すると、待機モードにおいて、図５Ａに示すように、メモアプリケーション実行のためのタッチイベントが発生する場合に、図５Ｂ及び図５Ｃに示すように、メモアプリケーション実行のための画面ウィンドウ１６１を待機モード画面上にオーバーラッピングするように別のウィンドウが表示される。
【００６６】
図５Ｂ及び図５Ｃに示すように、画面ウィンドウ１６１を表示する間に、画面ウィンドウ１６１を表示する領域ではない画面の領域でタッチイベントが発生し保持される場合に、図５Ｄに示すように、画面ウィンドウ１６１が隠され、待機画面が表示される。図５Ｄに示す状態で発生したタッチ入力が終了する場合に、図５Ｂ及び図５Ｃに示すように画面ウィンドウ１６１をさらに表示することができる。
【００６７】
画面ウィンドウ１６１が隠された状態のみで対応するアプリケーションのアップデートが行われるように設定される場合に、図５Ｃに示すように、画面ウィンドウ１６１が表示される間に現在の時間‘０７：１２’に対応するように時計ウィジェットの時間‘０７：１１’に対するアップデートが実行されない。画面ウィンドウ１６１が終了する時だけ対応するアプリケーションのアップデートが設定される場合に、図５Ｄに示すように、画面ウィンドウ１６１を隠す間にも現在の時間‘０７：１２’に対応するように時計ウィジェットの時間‘０７：１１’に対するアップデートが実行されない。
【００６８】
図６Ａ乃至図６Ｂは、本発明の実施形態による携帯端末機におけるメッセージアプリケーションの使用の間にメモアプリケーションを実行する過程を説明するための図である。
【００６９】
図６Ａ及び図６Ｂを参照すると、メッセージアプリケーションを表示する現在の画面でメモアプリケーション実行に対応するタッチイベントが発生する場合に、図６Ａに示すように、メモアプリケーション実行のための画面ウィンドウ１６１をメッセージアプリケーションを表示する現在の画面にオーバーラッピングすることにより別のウィンドウを表示する。図６Ａに示すように、画面ウィンドウ１６１を表示する間に、画面ウィンドウ１６１を表示する領域ではない画面の領域でタッチイベントが発生し保持される場合に、図６Ｂに示すように、画面ウィンドウ１６１が隠され、メッセージアプリケーションを表示する現在の画面が表示される。図６Ｂに示す状態で発生したタッチ入力が終了する場合に、図６Ａに示すように画面ウィンドウ１６１をさらに表示することができる。
【００７０】
図７Ａ及び図７Ｂは、本発明の実施形態による携帯端末機における電子メールアプリケーションの使用の間にメモアプリケーションを実行する過程を示す図である。
【００７１】
図７Ａ及び図７Ｂを参照すると、電子メールアプリケーションを表示する現在の画面でメモアプリケーション実行に対応するタッチイベントが発生する場合に、図７Ａに示すように、メモアプリケーション実行のための画面ウィンドウ１６１を電子メールアプリケーションを表示する現在の画面にオーバーラッピングすることにより別のウィンドウを表示する。
【００７２】
図７Ａに示すように、画面ウィンドウ１６１を表示する間に、画面ウィンドウ１６１を表示する領域ではない画面の領域でタッチイベントが発生し保持される場合に、図７Ｂに示すように、画面ウィンドウ１６１が隠され、電子メールアプリケーションを表示する現在の画面が表示される。図７Ｂに示す状態で発生したタッチ入力が終了する場合に、図７Ａに示すように画面ウィンドウ１６１をさらに表示することができる。
【００７３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７４】
１１０  制御部
１３０  メモリ
１６０  表示部
【図１】
2013069282.tif 000003
【図２Ａ】
2013069282.tif 000004
【図２Ｂ】
2013069282.tif 000005
【図３Ａ】
2013069282.tif 000006
【図３Ｂ】
2013069282.tif 000007
【図３Ｃ】
2013069282.tif 000008
【図４Ａ】
2013069282.tif 000009
【図４Ｂ】
2013069282.tif 000010
【図４Ｃ】
2013069282.tif 000011
【図５Ａ】
2013069282.tif 000012
【図５Ｂ】
2013069282.tif 000013
【図５Ｃ】
2013069282.tif 000014
【図５Ｄ】
2013069282.tif 000015
【図６Ａ】
2013069282.tif 000016
【図６Ｂ】
2013069282.tif 000017
【図７Ａ】
2013069282.tif 000018
【図７Ｂ】
2013069282.tif 000019